Podtech/llm-jp-corpus-v4-ja_patent huggingface dataset:
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
炎症の治療または予防に使用される、Ｒｕｂｕｓ  ｉｄａｅｕｓの茎および／または葉から得られるまたは得ることができる、抽出物であって、前記抽出物は抽出溶媒としての水および／またはエタノールを使用することで得られるまたは得ることができ、前記炎症は関節炎および関節腫脹から選択される、抽出物。
【請求項２】
前記抽出物が、７０：３０〜３０：７０のエタノール／水を含む溶媒を用いて得られる水−エタノール抽出物である、請求項１に記載の抽出物。
【請求項３】
炎症の治療または予防に使用される組成物であって、Ｒｕｂｕｓ  ｉｄａｅｕｓの茎および／または葉から得られるまたは得ることができる抽出物を含み、前記抽出物は抽出溶媒としての水および／またはエタノールを使用することで得られるまたは得ることができる、組成物。
【請求項４】
前記組成物が、食品、飼料もしくはペットフード製品、飲料製品、または食品、飼料もしくはペットフードサプリメントである、請求項３に記載の組成物。
【請求項５】
前記組成物が、医薬組成物または獣医学的組成物である、請求項３に記載の組成物。
【請求項６】
前記炎症の治療または予防が関節変性を軽減する、請求項１〜５のいずれか一項に記載の使用のための抽出物、または使用のための組成物。
【請求項７】
前記使用のための抽出物、または使用のための組成物が、少なくとも１つの炎症性サイトカインの放出を減少させるおよび／または阻害する、請求項１〜６のいずれか一項に記載の使用のための抽出物、または使用のための組成物。
【請求項８】
前記少なくとも１つの炎症性サイトカインが、ＴＦＮ−α、ＩＬ−６、およびＩＬ−１βから選択される、請求項７に記載の使用のための抽出物、または使用のための組成物。
【請求項９】
前記使用のための抽出物、または使用のための組成物が、アラキドン酸、エイコサペンタエン酸および／またはドコサヘキサエン酸に由来する特異的炎症収束性メディエーターのレベルを増加させる、請求項１〜８のいずれか一項に記載の使用のための抽出物、または使用のための組成物。
【請求項１０】
前記抽出物が、Ｒｕｂｕｓ  ｉｄａｅｕｓから得られる水性抽出物である、請求項１〜９のいずれか一項に記載の使用のための抽出物、または使用のための組成物。
【請求項１１】
前記抽出物が、Ｒｕｂｕｓ  ｉｄａｅｕｓから得られるエタノール抽出物である、請求項１〜１０のいずれか一項に記載の使用のための抽出物、または使用のための組成物。
【請求項１２】
前記抽出物が、
（ｉ）約１重量％〜約４０重量％のフェノール化合物、
（ｉｉ）約０．５重量％〜約７重量％のヒドロキシケイ皮酸およびエラグ酸化合物、ならびに
（ｉｉｉ）約１重量％〜約１５重量％のフラボノイド化合物、を含む、請求項１〜１１のいずれか一項に記載の使用のための抽出物、または使用のための組成物。
【請求項１３】
前記抽出物が、請求項１〜１２のいずれか一項に記載のＲｕｂｕｓ  ｉｄａｅｕｓ抽出物と、任意選択に、薬学的にまたは獣医学的に許容される賦形剤と、を含む、医薬組成物または獣医学的組成物の形態で投与される、請求項１〜１２のいずれか一項に記載の使用のための抽出物、または使用のための組成物。
【請求項１４】
前記医薬組成物が、経口投与、直腸投与、経鼻投与、肺投与、口腔投与、舌下投与、経皮投与、大槽内投与、腹腔内投与、または非経口投与用である、請求項１３に記載の使用のための抽出物、または使用のための組成物。
【請求項１５】
前記抽出物が、請求項１〜１２のいずれか一項以上に記載されるＲｕｂｕｓ  ｉｄａｅｕｓ抽出物と、任意選択に、食品または飲料に許容される成分と、を含む、食品、飼料またはペットフード組成物もしくは製品、飲料製品、あるいは食品、飼料またはペットフードサプリメントの形態で投与される、請求項１〜１２のいずれか一項に記載の使用のための抽出物、または使用のための組成物。
【請求項１６】
前記抽出物が、約１０ｍｇ／日〜約２０００ｍｇ／日の量で投与される、請求項１〜１５のいずれか一項に記載の使用のための抽出物、または使用のための組成物。
【請求項１７】
前記使用または方法が、ヒト対象に対して行われる、請求項１〜１６のいずれか一項に記載の使用のための抽出物、または使用のための組成物。
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
式（ＩＩ）の化合物、あるいはその薬学的に許容可能な塩または溶媒和物であって：
【化１】
2020515589.tif 000001
式中、
【化２】
2020515589.tif 000002
は、以下であり；
【化３】
2020515589.tif 000003
Ｒ１は以下であり；
【化４】
2020515589.tif 000004
ＺはＣ（Ｒ９）２であり；
各Ｒ５は、ハロゲンとＣ１−６アルキルから成る群から独立して選択され；
Ｒ２５は、ハロゲン、−ＯＲ６、−Ｎ（Ｒ６）２、−Ｃ（＝Ｏ）ＯＲ６、−Ｃ（＝Ｏ）Ｎ（Ｒ６）２、−ＮＲ６Ｃ（＝Ｏ）Ｎ（Ｒ６）２、および、ピリジニル、ピリミジニル、ピラゾリル、トリアゾリル、ピラジニル、テトラゾリル、フリル、チエニル、イソキサゾリル、チアゾリル、オキサゾリル、イソチアゾリル、ピロリル、ピリダジニル、トリアジニル、オキサジアゾリル、チアジアゾリル、およびフラザニルから成る群から選択されたＣ１−９ヘテロアリールから成る群から選択され；ここで、Ｃ１−９ヘテロアリールは、ハロ、Ｃ１−６アルキル、Ｃ１−６ハロアルキル、およびＣ３−８シクロアルキルから成る群から選択された１つ、２つ、または３つの置換基で随意に置換され；
各Ｒ６は、水素、Ｃ１−Ｃ６アルキル、−Ｃ１−Ｃ６アルキル−Ｏ−Ｃ１−Ｃ６アルキル、−Ｃ１−６アルキル−ピラゾール、およびＣ３−Ｃ８シクロアルキルから成る群から独立して選択され；または、同じ異種原子上の２つのＲ６は、それらが付着している異種原子と一体となって、Ｃ２−９複素環またはＣ２−９ヘテロアリールを形成し、ここで、ヘテロアリールは、イミダゾリル、ピラゾリル、およびピロリルから成る群から選択され、ここで、Ｃ２−９複素環またはＣ２−９ヘテロアリールは、ハロ、−ＯＲ８、−ＳＲ８、−Ｎ（Ｒ８）２、−Ｃ１−６アルキル、−Ｃ（＝Ｏ）Ｒ１４、−Ｃ（＝Ｏ）ＯＲ１３、およびＮ（Ｒ１３）Ｃ（＝Ｏ）Ｒ１４から成る群から選択された１つ、２つ、または３つの置換基で随意に置換され；
Ｒ８は、水素とＣ１−Ｃ６アルキルから成る群から選択され；
各Ｒ９は水素であり；
各Ｒ１３は、水素およびＣ１−Ｃ６アルキルから成る群から独立して選択され；
各Ｒ１４はＣ１−Ｃ６アルキルであり；
ｎは、０、１、または２であり；および
ｐは、０または１である、
化合物、あるいはその薬学的に許容可能な塩または溶媒和物。
【請求項２】
ｎは１である、請求項１に記載の化合物、あるいはその薬学的に許容可能な塩または溶媒和物。
【請求項３】
Ｒ２５は−Ｃ（＝Ｏ）Ｎ（Ｒ６）２であり、および各Ｒ６は、水素、Ｃ１−Ｃ６アルキル、−Ｃ１−Ｃ６アルキル−Ｏ−Ｃ１−Ｃ６アルキル、−Ｃ１−６アルキル−ピラゾール、およびＣ３−Ｃ８シクロアルキルから成る群から独立して選択される、請求項１または２に記載の化合物、あるいはその薬学的に許容可能な塩または溶媒和物。
【請求項４】
Ｒ２５は−Ｃ（＝Ｏ）Ｎ（Ｒ６）２であり、および同じ異種原子上の２つのＲ６は、それらが付着している異種原子と一体となって、Ｃ２−９複素環またはＣ２−９ヘテロアリールを形成し、ここで、ヘテロアリールは、イミダゾリル、ピラゾリル、およびピロリルから成る群から選択され、ここで、Ｃ２−９複素環またはＣ２−９ヘテロアリールは、−ＯＲ８、−ＳＲ８、−Ｎ（Ｒ８）２、−Ｃ１−６アルキル、−Ｃ（＝Ｏ）Ｒ１４、−Ｃ（＝Ｏ）ＯＲ１３、および−Ｎ（Ｒ１３）Ｃ（＝Ｏ）Ｒ１４から成る群から選択された１つの置換基で随意に置換される、請求項１または２に記載の化合物、あるいはその薬学的に許容可能な塩または溶媒和物。
【請求項５】
Ｒ２５は以下である、請求項１−４のいずれか１つに記載の化合物、あるいはその薬学的に許容可能な塩または溶媒和物。
【化５】
2020515589.tif 000005
【請求項６】
Ｒ２５は以下である、請求項１−５のいずれか１つに記載の化合物、あるいはその薬学的に許容可能な塩または溶媒和物。
【化６】
2020515589.tif 000006
【請求項７】
化合物は以下である、請求項１−６のいずれか１つに記載の化合物、あるいはその薬学的に許容可能な塩または溶媒和物。
【化７】
2020515589.tif 000007
【請求項８】
化合物は以下である、請求項１−６のいずれか１つに記載の化合物、あるいはその薬学的に許容可能な塩または溶媒和物。
【化８】
2020515589.tif 000008
【請求項９】
化合物は以下である、請求項１−６のいずれか１つに記載の化合物、あるいはその薬学的に許容可能な塩または溶媒和物。
【化９】
2020515589.tif 000009
【請求項１０】
化合物は以下である、請求項１−６のいずれか１つに記載の化合物、あるいはその薬学的に許容可能な塩または溶媒和物。
【化１０】
2020515589.tif 000010
【請求項１１】
化合物は以下である、請求項１−６のいずれか１つに記載の化合物、あるいはその薬学的に許容可能な塩または溶媒和物。
【化１１】
2020515589.tif 000011
【請求項１２】
以下から選択される化合物、あるいはその薬学的に許容可能な塩または溶媒和物。
【化１２−１】
2020515589.tif 000012
【化１２−２】
2020515589.tif 000013
【化１２−３】
2020515589.tif 000014
【化１２−４】
2020515589.tif 000015
【請求項１３】
請求項１−１１のいずれか１つに記載の化合物、あるいはその薬学的に許容可能な塩または溶媒和物、および少なくとも１つの薬学的に許容可能な賦形剤を含む、医薬組成物。
【請求項１４】
非アルコール性脂肪性肝炎を処置するための薬剤の製造における、請求項１−１１のいずれか１つに記載の化合物、あるいはその薬学的に許容可能な塩または溶媒和物の使用。
【請求項１５】
請求項１２に記載の化合物、あるいはその薬学的に許容可能な塩または溶媒和物、および少なくとも１つの薬学的に許容可能な賦形剤を含む、医薬組成物。
【請求項１６】
非アルコール性脂肪性肝炎を処置するための薬剤の製造における、請求項１２に記載の化合物、あるいはその薬学的に許容可能な塩または溶媒和物の使用。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
ヒトである対象にてＴ細胞の疲弊を防ぐ及び／または元に戻す方法であって、前記方法が治療上有効な量のチロシンキナーゼ阻害剤を前記対象に投与することを含み、前記チロシンキナーゼ阻害剤がＴＣＲのシグナル伝達及び／またはＣＡＲのシグナル伝達を阻害する方法。
【請求項２】
前記チロシンキナーゼ阻害剤がＬｃｋ阻害剤である請求項１に記載の方法。
【請求項３】
前記チロシンキナーゼ阻害剤がダサチニブまたはポナチニブである請求項１に記載の方法。
【請求項４】
前記投与することにより、
前記対象にてＴ細胞によるＩＬ−２の分泌を高めること
前記対象にてＴ細胞のアポトーシスを減少させること
ＰＤ−１、ＴＩＭ−３及びＬＡＧ−３から成る群から選択される少なくとも１つのＴ細胞の疲弊マーカーの発現を低下させること、及び
ＣＤ６２ＬまたはＣＣＲ７の発現を高めること
のうちの１つ以上が生じる請求項１に記載の方法。
【請求項５】
前記チロシンキナーゼ阻害剤が複数サイクルで投与され、且つ／または
前記チロシンキナーゼ阻害剤が予防的に投与され、且つ／または
前記チロシンキナーゼ阻害剤が間欠的に投与され、且つ／または
前記チロシンキナーゼ阻害剤が少なくとも部分的なＴ細胞機能を回復させるのに十分な期間投与され、その後中止され、且つ／または
前記チロシンキナーゼ阻害剤が経口で投与される請求項１に記載の方法。
【請求項６】
前記対象が慢性感染症またはがんを有する請求項１に記載の方法。
【請求項７】
遺伝子操作したＴ細胞の集団を含む組成物であって、前記遺伝子操作したＴ細胞の集団がチロシンキナーゼ阻害剤の存在下で増殖され、前記チロシンキナーゼ阻害剤がＴＣＲのシグナル伝達及び／またはＣＡＲのシグナル伝達を阻害する組成物。
【請求項８】
前記チロシンキナーゼ阻害剤がＬｃｋ阻害剤である請求項７に記載の組成物。
【請求項９】
前記チロシンキナーゼ阻害剤がダサチニブまたはポナチニブである請求項７に記載の組成物。
【請求項１０】
前記遺伝子操作したＴ細胞の集団が、ＣＡＲ  Ｔ細胞の集団、遺伝子操作したＴＣＲを発現するＴ細胞の集団、腫瘍浸潤リンパ球（ＴＩＬ）療法のために構成された遺伝子操作したＴ細胞の集団、形質導入Ｔ細胞療法のために構成された遺伝子操作したＴ細胞の集団、及び／またはＴＣＲもしくはＣＡＲで再操作されたウイルス特異的なＴ細胞の集団から選択される請求項７に記載の組成物。
【請求項１１】
免疫系に関連する状態または疾患を治療する方法であって、チロシンキナーゼ阻害剤の存在下で増殖させた遺伝子操作したＴ細胞の集団をヒトである対象に投与することを含み、前記チロシンキナーゼ阻害剤はＴＣＲのシグナル伝達及び／またはＣＡＲのシグナル伝達を阻害し、前記遺伝子操作したＴ細胞の集団は、ＣＡＲ  Ｔ細胞の集団、遺伝子操作したＴＣＲを発現するＴ細胞の集団、腫瘍浸潤リンパ球（ＴＩＬ）療法のために構成された遺伝子操作したＴ細胞の集団、形質導入Ｔ細胞療法のために構成された遺伝子操作したＴ細胞の集団、及び／またはＴＣＲもしくはＣＡＲで再操作されたウイルス特異的なＴ細胞の集団から選択され、前記免疫系に関連する状態または疾患ががんまたは自己免疫の疾患もしくは状態から選択される方法。
【請求項１２】
前記チロシンキナーゼ阻害剤がＬｃｋ阻害剤である請求項１１に記載の方法。
【請求項１３】
前記チロシンキナーゼ阻害剤がダサチニブまたはポナチニブである請求項１２に記載の方法。
【請求項１４】
前記対象が養子Ｔ細胞療法を受けている請求項１１に記載の方法。
【請求項１５】
前記対象に、化学療法剤及び放射線療法から選択される１以上の抗がん剤を投与することをさらに含む請求項１１に記載の方法。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
治療有効量のＰＩ３Ｋ阻害剤を含む、それを必要とする被験者におけるミトコンドリア遺伝子疾患を処置するための医薬組成物。
【請求項２】
ＰＩ３Ｋ阻害剤が低分子である、請求項１記載の医薬組成物。
【請求項３】
ＰＩ３Ｋ阻害剤がＢＹＬ７１９（アルペリシブ）である、請求項１記載の医薬組成物。
【請求項４】
ＰＩ３Ｋ阻害剤がＧＤＣ−００３２（タセリシブ）である、請求項１記載の医薬組成物。
【請求項５】
ミトコンドリア遺伝子疾患がリー症候群である、請求項１記載の医薬組成物。
【請求項６】
ミトコンドリア遺伝子疾患が運動失調である、請求項１記載の医薬組成物。
【請求項７】
ミトコンドリア遺伝子疾患が小脳形成不全である、請求項１記載の医薬組成物。
【請求項８】
ミトコンドリア遺伝子疾患がカーンズ・セイヤー症候群である、請求項１記載の医薬組成物。
【請求項９】
ｉ）試験化合物を提供する工程、及びｉｉ）該試験化合物のＰＩ３Ｋ活性抑制能を決定する工程を含む、ミトコンドリア遺伝子疾患の処置に適した薬物をスクリーニングする方法。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
必要とする対象においてエピソームウイルスの持続性及び発現を減少させるための、治療有効量のＦＸＲアゴニスト。
【請求項２】
対象が、ヒト又は非ヒト動物である、請求項１記載のＦＸＲアゴニスト。
【請求項３】
対象が、ネコ及びイヌのような家庭動物、ウマ、ウシ、ブタ、及びニワトリのような家畜及び農場動物である、請求項２記載のＦＸＲアゴニスト。
【請求項４】
エピソームウイルスが、アデノウイルス科、レトロウイルス科、ヘルペスウイルス科、パポバウイルス科、パピローマウイルス科、ポリオーマウイルス科、及びパルボリリナエ科に属するウイルスより選択される、請求項１記載のＦＸＲアゴニスト。
【請求項５】
エピソームウイルスが、アデノウイルス、ヘルペスウイルス、パピローマウイルス、ポリオーマウイルス、パルボウイルス、又はレトロウイルスである、請求項１記載のＦＸＲアゴニスト。
【請求項６】
エピソームウイルスが、ＢＫＶ、ＣＭＶ、ＥＢＶ、ＨＨＶ８、及びＨＩＶからなる群より選択される、請求項１記載のＦＸＲアゴニスト。
【請求項７】
対象が免疫不全であり、高齢患者、ＡＩＤＳ患者；臓器移植患者のような慢性免疫抑制処置レジメンを受けている患者；ホジキン病又はリンパ腫のような癌を伴う患者；及びミコフェノール酸モフェチル又はナタリズマブ、リツキシマブ、又はエファリズマブのような生物製剤で処置されている自己免疫状態を伴う患者を含み、そのような自己免疫状態は、多発性硬化症（ＭＳ）、関節リウマチ（ＲＡ）、及び全身性エリテマトーデス（ＳＬＥ）を含むが、これらに限定しない、請求項１記載のＦＸＲアゴニスト。
【請求項８】
対象が癌を有し、化学療法又は放射線療法のような細胞アブレーション治療とともに投与される、請求項１記載のＦＸＲアゴニスト。
【請求項９】
対象が、免疫抑制剤を投与された移植対象である、請求項１記載のＦＸＲアゴニスト。
【請求項１０】
高度に活性な抗レトロウイルス処置後のＨＩＶリザーバーを根絶するための、請求項１記載のＦＸＲアゴニスト。
【手続補正書】
【提出日】令和3年8月4日(2021.8.4)
【手続補正１】
【補正対象書類名】特許請求の範囲
【補正対象項目名】全文
【補正方法】変更
【補正の内容】
【特許請求の範囲】
【請求項１】
植物病を制御するか、植物の病害抵抗性を高めるか、又はこれらの両方のための方法であって、前記方法は、植物の種子、未熟な苗、及び／又は植物の組織に有効量の農業用組成物を適用することを含み、農業用組成物は、
パエニバチルス（Ｐａｅｎｉｂａｃｉｌｌｕｓ）又はバチルス（Ｂａｃｉｌｌｕｓ）の細菌分離株であって、ＭＳ１４７９（ＡＴＣＣ寄託番号ＰＴＡ−１２４７０１）、ＭＳ２３７９（ＡＴＣＣ寄託番号ＰＴＡ−１２４７０３）、ＭＳ２４１４（ＡＴＣＣ寄託番号ＰＴＡ−１２４７０４）、ＭＳ２８２０（ＡＴＣＣ寄託番号ＰＴＡ−１２４７１０）、ＭＳ０６３３（ＡＴＣＣ寄託番号ＰＴＡ−１２４７００）、ＭＳ２３３５（ＡＴＣＣ寄託番号ＰＴＡ−１２４７０２）、ＭＳ２６５２（ＡＴＣＣ寄託番号ＰＴＡ−１２４７０５）、ＭＳ２６５８（ＡＴＣＣ寄託番号ＰＴＡ−１２４７０６）、ＭＳ２６８１（ＡＴＣＣ寄託番号ＰＴＡ−１２４７０７）、ＭＳ２６９７（ＡＴＣＣ寄託番号ＰＴＡ−１２４７０８）、ＭＳ２７１２（ＡＴＣＣ寄託番号ＰＴＡ−１２４７０９）、又はそれらの組合せを含む細菌分離株又はその変異体、あるいは
前記細菌分離株又はその変異体の濾液を含む方法。
【請求項２】
細菌分離株が、ＭＳ２３７９又はＭＳ２４１４を含む、請求項１に記載の方法。
【請求項３】
植物病は真菌病、細菌病、ウイルス病、又は寄生虫病を含み、真菌病は、任意選択で白さび病、べと病、うどんこ病、根こぶ病、菌核病、フザリウム萎ちょう病及び腐敗病、ボトリチス腐敗病、炭疽病、リゾクトニア腐敗病、苗立枯病、しみ腐病（ｃａｖｉｔｙ  ｓｐｏｔ）、塊茎の病気、さび病、黒根腐病、輪紋病、アファノマイセス根腐病、アスコキタ襟腐病、グミ茎枯病、アルテルナリア斑点病、根朽病、リングスポット病、疫病（ｌａｔｅ  ｂｌｉｇｈｔ）、セルコスポラ、葉枯病、セプトリア斑点病、葉枯病、又はそれらの組合せを含む、請求項１又は２に記載の方法。
【請求項４】
植物病は真菌病を含む、請求項１〜３のいずれか一項に記載の方法。
【請求項５】
植物病は、マクロフォミナ・ファセオリナ（Ｍａｃｒｏｐｈｏｍｉｎａ  ｐｈａｓｅｏｌｉｎａ）、フザリウム・ビルグリフォルメ（Ｆｕｓａｒｉｕｍ  ｖｉｒｇｕｌｉｆｏｒｍｅ）、リゾクトニア・ソラニ（Ｒｈｉｚｏｃｔｏｎｉａ  ｓｏｌａｎｉ）、ボトリチス・シネレア（Ｂｏｔｒｙｔｉｓ  ｃｉｎｅｒｅａ）、ピシウム・アルティマム（Ｐｙｔｈｉｕｍ  ｕｌｔｉｍｕｍ）、又はピシウム・イレギュラーレ（Ｐｙｔｈｉｕｍ  ｉｒｒｅｇｕｌａｒｅ）によって引き起こされるものである、請求項１〜４のいずれか一項に記載の方法。
【請求項６】
農業用組成物は、微生物を含むバイオコントロール製剤、殺虫剤、殺線虫剤、殺ダニ剤、殺真菌剤、殺細菌剤、除草剤、植物成長調節剤、展着剤、肥料、微生物物質、土壌改良剤、農業上許容される担体、湿潤剤、結合剤、充填剤、有機添加剤、界面活性剤、及び、作用剤であって防腐剤、ミネラル、増粘剤、安定化剤、生物保護剤、アジュバント、又はそれらの組合せを含む作用剤のうちの１つ以上をさらに含む、請求項１〜５のいずれか一項に記載の方法。
【請求項７】
殺真菌剤は、Ｓｅｒｅｎａｄｅ（商標）、Ｓａｔｏｒｉ（商標）、Ｄｏｕｂｌｅ  Ｎｉｃｋｅｌ（商標）、ＬｉｆｅＧａｒｄ（商標）、Ｘａｎｔｈｉｏｎ（商標）Ａ、又はＳｕｂｔｉｌｅｘ（商標）からの有効成分を含む、請求項６に記載の方法。
【請求項８】
バイオコントロール製剤中の微生物に対する細菌分離株のコロニー形成単位（ｃｆｕ）比は、１，０００：１〜１：１，０００、１００：１〜１：１００、１００：１〜１：１、５０：１〜１：５０、５０：１〜１０：１、又は１０：１〜１：１０の範囲にある、請求項６又は７に記載の方法。
【請求項９】
農業用組成物中の細菌分離株の濃度は、少なくとも１．３×１０５ｃｆｕ／ｍｌ、１．３×１０６ｃｆｕ／ｍｌ、１．３×１０７ｃｆｕ／ｍｌ、１．３×１０８ｃｆｕ／ｍｌ、１．３×ｌ０９ｃｆｕ／ｍｌ、又は１．３×１０１０ｃｆｕ／ｍｌである、請求項１〜８のいずれか一項に記載の方法。
【請求項１０】
細菌分離株は、有効量の農業用組成物を適用する工程の前に発酵プロセスに供され、発酵プロセスは、
（１）シード培地に細菌分離株を接種すること、及び
（２）生産培地で培養物を拡大すること
を含む、請求項１〜９のいずれか一項に記載の方法。
【請求項１１】
農業用組成物であって、
パエニバチルス（Ｐａｅｎｉｂａｃｉｌｌｕｓ）又はバチルス（Ｂａｃｉｌｌｕｓ）の細菌分離株であって、ＭＳ１４７９（ＡＴＣＣ寄託番号ＰＴＡ−１２４７０１）、ＭＳ２３７９（ＡＴＣＣ寄託番号ＰＴＡ−１２４７０３）、ＭＳ２４１４（ＡＴＣＣ寄託番号ＰＴＡ−１２４７０４）、ＭＳ２８２０（ＡＴＣＣ寄託番号ＰＴＡ−１２４７１０）、ＭＳ０６３３（ＡＴＣＣ寄託番号ＰＴＡ−１２４７００）、ＭＳ２３３５（ＡＴＣＣ寄託番号ＰＴＡ−１２４７０２）、ＭＳ２６５２（ＡＴＣＣ寄託番号ＰＴＡ−１２４７０５）、ＭＳ２６５８（ＡＴＣＣ寄託番号ＰＴＡ−１２４７０６）、ＭＳ２６８１（ＡＴＣＣ寄託番号ＰＴＡ−１２４７０７）、ＭＳ２６９７（ＡＴＣＣ寄託番号ＰＴＡ−１２４７０８）、ＭＳ２７１２（ＡＴＣＣ寄託番号ＰＴＡ−１２４７０９）、又はそれらの組合せを含む細菌分離株又はその変異体、あるいは
前記細菌分離株又はその変異体の濾液
を含む農業用組成物。
【請求項１２】
細菌分離株が、ＭＳ２３７９又はＭＳ２４１４を含む、請求項１１に記載の農業用組成物。
【請求項１３】
微生物を含むバイオコントロール製剤、殺虫剤、殺線虫剤、殺ダニ剤、殺真菌剤、殺細菌剤、除草剤、植物成長調節剤、展着剤、肥料、微生物物質、土壌改良剤、農業上許容される担体、湿潤剤、結合剤、充填剤、有機添加剤、界面活性剤、及び、作用剤であって防腐剤、ミネラル、増粘剤、安定化剤、生物保護剤、アジュバント、又はそれらの組合せを含む作用剤のうちの１つ以上をさらに含む、請求項１１又は１２に記載の農業用組成物。
【請求項１４】
殺真菌剤は、Ｓｅｒｅｎａｄｅ（商標）、Ｓａｔｏｒｉ（商標）、Ｄｏｕｂｌｅ  Ｎｉｃｋｅｌ（商標）、ＬｉｆｅＧａｒｄ（商標）、Ｘａｎｔｈｉｏｎ（商標）Ａ、又はＳｕｂｔｉｌｅｘ（商標）からの有効成分を含む、請求項１３に記載の農業用組成物。
【請求項１５】
バイオコントロール製剤中の微生物に対する細菌分離株のｃｆｕ比は、１，０００：１〜１：１，０００、１００：１〜１：１００、１００：１〜１：１、５０：１〜１：５０、５０：１〜１０：１、又は１０：１〜１：１０の範囲にある、請求項１３又は１４に記載の農業用組成物。
【請求項１６】
細菌分離株の濃度は、少なくとも１．３×１０５ｃｆｕ／ｍｌ、１．３×１０６ｃｆｕ／ｍｌ、１．３×１０７ｃｆｕ／ｍｌ、１．３×１０８ｃｆｕ／ｍｌ、１．３×ｌ０９ｃｆｕ／ｍｌ、又は１．３×１０１０ｃｆｕ／ｍｌである、請求項１１〜１５のいずれか一項に記載の農業用組成物。
【請求項１７】
請求項１１〜１６のいずれか一項に記載の農業用組成物でコーティングされた植物種子。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
被験者の多発性硬化症（ＭＳ）関連自己免疫の程度を決定することを補助する方法であって、
ａ．生存可能なＴ細胞を含む、被験者に由来する試験試料を提供することと、
ｂ．Ｔ細胞エピトープを含む試験抗原に応答した試験試料のＴ細胞の抗原特異的活性化をインビトロで定量することと、ここで、Ｔ細胞エピトープは、ｎ個の連続する残基のアミノ酸配列を含み、ｎ個の連続する残基のアミノ酸配列が、
ｉ．配列番号５の部分配列と同一であるか、若しくは
ｉｉ．ｍ個以下の残基の置換、欠失及び／又は挿入により配列番号５の部分配列とは異なり、
ｎが少なくとも８であり、ｍが０、１又は２であり、
ｃ．定量された抗原特異的活性化と、関連する参照とを比較して、被験者のＭＳ関連自己免疫の程度を決定することを補助することと
を含む、上記方法。
【請求項２】
部分配列が配列番号５の残基１６７〜２９５に含まれる、請求項１に記載の方法。
【請求項３】
部分配列が配列番号５の残基１〜１６６に含まれる、請求項１に記載の方法。
【請求項４】
部分配列が配列番号５の残基２９６〜１３２７に含まれる、請求項１に記載の方法。
【請求項５】
部分配列が配列番号５の残基１３２８〜２２３４に含まれる、請求項１に記載の方法。
【請求項６】
部分配列が配列番号５の残基２２３５〜２２５０に含まれる、請求項１に記載の方法。
【請求項７】
抗原特異的活性化が、各々が請求項１に記載の基準を満たす２個、３個、４個、５個、６個、７個、８個、９個、１０個又はそれ以上の異なるＴ細胞エピトープに対して定量され、異なるＴ細胞エピトープが、好ましくは請求項１〜６で指定された配列区間のうちの１個、２個、３個、４個、５個又は６個から選択される、請求項１〜６のいずれか一項に記載の方法。
【請求項８】
抗原特異的活性化が、ＰＲＯＫ２（配列番号２）、ＲＴＮ３（配列番号３）、ＦＡＢＰ７（配列番号１）及びＳＮＡＰ９１（配列番号４）からなる群から選択される異なるＭＳ抗原に対応する特異的Ｔ細胞エピトープをそれぞれ含む少なくとも２つ、３つ又は４つの試験抗原に対して定量される、請求項１〜７のいずれか一項に記載の方法。
【請求項９】
ｎが少なくとも１１である、請求項１〜８のいずれか一項に記載の方法。
【請求項１０】
ｍが０又は１である、請求項１〜９のいずれか一項に記載の方法。
【請求項１１】
特異的Ｔ細胞エピトープを含む抗原が、配列番号２、配列番号１、配列番号３、配列番号４、配列番号５又は配列番号６のいずれかに対して少なくとも８０％、好ましくは少なくとも９０％、さらに好ましくは少なくとも９５％、最も好ましくは少なくとも９８％の配列同一性を有するペプチド又はペプチド模倣体である、請求項１〜１０のいずれか一項に記載の方法。
【請求項１２】
特異的Ｔ細胞を含む抗原が、配列番号２に対して少なくとも８０％の配列同一性を有するペプチドまたはペプチド模倣体である、請求項１〜１１のいずれか一項に記載の方法。
【請求項１３】
試験試料がＰＢＭＣ試料である、請求項１〜１２のいずれか一項に記載の方法。
【請求項１４】
請求項１〜１３のいずれか一項に記載の方法であって、
ａ．生存可能な抗原提示細胞を提供することと、
ｂ．試験抗原と抗原提示細胞とを接触させることと、
ｃ．抗原提示細胞によって提示された抗原に応答してＴ細胞の抗原特異的活性化が可能になる条件下で、試験試料と、試験抗原と接触させた抗原提示細胞とをインビトロで接触させることと、
ｄ．試験試料の抗原特異的Ｔ細胞活性化を定量することとをさらに含む、上記方法。
【請求項１５】
方法が、貪食可能な粒子に緊密に会合した試験抗原を提供することを含む、請求項１〜１４のいずれか一項に記載の方法。
【請求項１６】
試験試料の抗原特異的Ｔ細胞活性化の定量が、ＩＦＮ−γ、ＩＬ−１７またはＩＬ−２２の分泌を測定することによりＴ細胞応答を決定することを含む、請求項１〜１５のいずれか一項に記載の方法。
【請求項１７】
抗原特異的Ｔ細胞活性化の定量が、
ａ．緊密に会合した試験抗原を有する貪食可能な粒子を提供する工程と、ここで、会合した試験抗原を有する粒子を変性洗浄に供し、後続の工程を妨害しないほどエンドトキシンのレベルを十分に低くし、
ｂ．生存可能な抗原提示細胞を提供する工程と、
ｃ．抗原提示細胞による粒子の貪食を可能にする条件下で、洗浄された粒子と抗原提示細胞とを接触させる工程と、
ｄ．生存可能なＴ細胞を含むアッセイ対象の試験試料を提供する工程と、
ｅ．抗原提示細胞によって提示された抗原に応答してＴ細胞の抗原特異的活性化が可能になる条件下で、試験試料と、粒子と接触させた抗原提示細胞とをインビトロで接触させる工程と、
ｆ．試験試料の抗原特異的Ｔ細胞活性化を定量する工程とを含む、請求項１〜１６のいずれか一項に記載の方法。
【請求項１８】
参照が、
（ｉ）病理学的ＭＳ関連自己免疫のない参照対象から得られた参照試料の比較可能に定量された抗原特異的活性化である、
（ｉｉ）病理学的ＭＳ関連自己免疫のない参照対象のセットから得られた参照試料のセットの比較可能に定量された抗原特異的活性化の平均値である、または
（ｉｉｉ）異なる時点に採取された、同じ対象からの試料の比較可能に定量された抗原特異的活性化である、
請求項１〜１７のいずれか一項に記載の方法。
【請求項１９】
（ｉ）試験試料の定量された抗原特異的活性化が、参照の少なくとも２倍、好ましくは３倍、さらに好ましくは５倍、最も好ましくは１０倍である場合、
（ｉｉ）試験試料の定量された抗原特異的活性化が、病理学的ＭＳ関連自己免疫のない参照対象のセットから得られた比較可能に定量された参照試料のセットの平均よりも、参照試料のセットの標準偏差の２倍だけ高い場合、
（ｉｉｉ）試験試料の定量された抗原特異的活性化が、スチューデントのＴ検定によって計算された０．０５未満のｐ値を伴って参照よりも統計的に有意に高い場合、又は
（ｉｖ）試験試料の定量された抗原特異的活性化が、マン・ホイットニーのＵ検定によって計算された０．０５未満のｐ値を伴って参照よりも統計的に有意に高い場合、
ＭＳ関連自己免疫の程度の増加が結論付けられる、請求項１〜１８のいずれか一項に記載の方法。
【請求項２０】
ＭＳの診断における非ｉｎ  ｖｉｖｏ使用のための、ペプチド又はペプチド模倣体を含む医薬組成物であって、ペプチド又はペプチド模倣体がＭＳ抗原に対応する特異的Ｔ細胞エピトープを含み、Ｔ細胞エピトープが、ｍ個以下の残基の置換、欠失及び／又は挿入により配列番号５の部分配列とは異なる、ｎ個の連続する残基のアミノ酸配列を含み、ｍが０、１又は２である上記医薬組成物。
【請求項２１】
部分配列が、配列番号５の残基１６７〜２９５から選択される、請求項２０に記載の医薬組成物。
【手続補正書】
【提出日】令和3年1月21日(2021.1.21)
【手続補正１】
【補正対象書類名】特許請求の範囲
【補正対象項目名】全文
【補正方法】変更
【補正の内容】
【特許請求の範囲】
【請求項１】
ヒトＣＤ７３タンパク質に対する特異性を有し、
配列識別番号１のアミノ酸配列を含むＶＨ  ＣＤＲ１、
配列識別番号２のアミノ酸配列を含むＶＨ  ＣＤＲ２、
配列識別番号３のアミノ酸配列を含むＶＨ  ＣＤＲ３、
配列識別番号４のアミノ酸配列を含むＶＬ  ＣＤＲ１、
配列識別番号５のアミノ酸配列を含むＶＬ  ＣＤＲ２、および、
配列識別番号６のアミノ酸配列を含むＶＬ  ＣＤＲ３を備える、
単離された
抗体または抗体断片。
【請求項２】
重鎖定常領域、軽鎖定常領域、Ｆｃ領域、または、それらの組み合わせを更に備える、
請求項１に記載の抗体または抗体断片。
【請求項３】
前記抗体または抗体断片は、ヒト化されている、
請求項１または２に記載の抗体または抗体断片。
【請求項４】
Ｋａｂａｔナンバリングに従って、
（ａ）位置３０のＴｈｒ、
（ｂ）位置４４のＬｙｓ、
（ｃ）位置４８のＭｅｔ、
（ｄ）位置６７のＩｌｅ、および、
（ｅ）位置７１のＡｒｇ
から成る群から選択される１または複数のアミノ酸残基を含む重鎖可変領域、および、それらの組み合わせを備える、
請求項３に記載の抗体または抗体断片。
【請求項５】
Ｋａｂａｔナンバリングに従って、
（ａ）位置５のＳｅｒ、
（ｂ）位置４６のＰｒｏ、
（ｃ）位置４７のＴｒｐ、
（ｄ）位置４９のＳｅｒ、
（ｅ）位置７０のＳｅｒ、および、
（ｆ）位置７１のＴｙｒ
から成る群から選択される１または複数のアミノ酸残基を含む軽鎖可変領域、および、それらの組み合わせを備える、
請求項３または４に記載の抗体または抗体断片。
【請求項６】
配列識別番号７および９−１３から成る群から選択されるアミノ酸配列、または、配列識別番号７および９−１３から成る群から選択されるアミノ酸配列と少なくとも９０％の配列同一性を有するペプチドを含む重鎖可変領域を備える、
請求項１から５のいずれか一項に記載の抗体または抗体断片。
【請求項７】
前記重鎖可変領域は、配列識別番号７または９のアミノ酸配列を含む、
請求項６に記載の抗体または抗体断片。
【請求項８】
配列識別番号８、１５−２０および２２−２４から成る群から選択されるアミノ酸配列、または、配列識別番号８、１５−２０および２２−２４から成る群から選択されるアミノ酸配列と少なくとも９０％の配列同一性を有するペプチドを含む軽鎖可変領域を備える、
請求項１から７のいずれか一項に記載の抗体または抗体断片。
【請求項９】
前記軽鎖可変領域は配列識別番号８のアミノ酸配列を含む、
請求項８に記載の抗体または抗体断片。
【請求項１０】
ヒトＣＤ７３タンパク質に対する特異性を有し、
前記ヒトＣＤ７３タンパク質のＣ末端側の半分から選択される１または複数のアミノ酸残基に結合する、
単離された抗体または抗体断片。
【請求項１１】
前記ヒトＣＤ７３タンパク質のＣ末端ドメインのうち１または複数に結合する、
請求項１０に記載の抗体または抗体断片。
【請求項１２】
前記ヒトＣＤ７３タンパク質のＹ３４５、Ｄ３９９、Ｅ４００、Ｒ４０１およびＲ４８０から成る群から選択されるアミノ酸残基のうち少なくとも１つに結合する、
請求項１０または１１に記載の抗体または抗体断片。
【請求項１３】
前記アミノ酸残基のうち少なくとも２つに結合する、
請求項１２に記載の抗体または抗体断片。
【請求項１４】
Ｙ３４５、Ｄ３９９、Ｅ４００、Ｒ４０１およびＲ４８０の各々に結合する、
請求項１２または１３に記載の抗体または抗体断片。
【請求項１５】
二重特異性抗体である、
請求項１から１２のいずれか１項に記載の抗体または抗体断片。
【請求項１６】
請求項１から１５のいずれか１項に記載の抗体または抗体断片を備え、
癌の治療における使用のための、
組成物。
【請求項１７】
前記癌は、膀胱癌、乳癌、大腸癌、子宮体癌、食道癌、頭頸部癌、腎臓癌、白血病、肝癌、肺癌、リンパ腫、悪性黒色腫、膵癌、前立腺癌および甲状腺癌から成る群から選択される、
請求項１６に記載の組成物。
【請求項１８】
単離された抗体または抗体断片であって、
前記抗体または抗体断片は、ヒトＣＤ７３タンパク質に対する特異性を有し、
（ａ）配列識別番号１のＶＨ  ＣＤＲ１、または、配列識別番号１の位置１、２または３において単一の置換、欠失または挿入を有する配列識別番号１の変異型と、
（ｂ）配列識別番号２のＶＨ  ＣＤＲ２、または、配列識別番号２の位置６、７または８において単一の置換、欠失または挿入を有する配列識別番号２の変異型と、
（ｃ）配列識別番号３のＶＨ  ＣＤＲ３、または、配列識別番号３の位置７または８において単一の置換、欠失または挿入を有する配列識別番号３の変異型と、
（ｄ）配列識別番号４のＶＬ  ＣＤＲ１、または、配列識別番号４の位置３または４における単一の置換、欠失または挿入を有する配列識別番号４の変異型と、
（ｅ）配列識別番号５のＶＬ  ＣＤＲ２と、
（ｆ）配列識別番号６のＶＬ  ＣＤＲ３、または、配列識別番号６の位置１、２、３または４における単一の置換、欠失または挿入を有する配列識別番号６の変異型と
を含む、
単離された抗体または抗体断片。
【請求項１９】
配列識別番号１の前記変異型は、配列識別番号２６−２９から成る群から選択されるか、
配列識別番号２の前記変異型は、配列識別番号３０−３６から成る群から選択されるか、
配列識別番号３の前記変異型は、配列識別番号３７−４１から成る群から選択されるか、
配列識別番号４の前記変異型は、配列識別番号４２−４５から成る群から選択されるか、または
配列識別番号６の前記変異型は、配列識別番号４６−５６から成る群から選択される、
請求項１８に記載の抗体または抗体断片。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
眼科的に許容可能な担体と、マイボーム腺における脂質生成を増加させるか、またはマイボーム腺からの脂質分泌を増加させる、有効な量の少なくとも１つの薬剤とを含む眼科用組成物であって、ここで、前記組成物は、マイボーム腺からの脂質分泌を増加させるための方法において使用され、前記方法は、その必要がある患者の眼瞼縁に、局所的に、前記組成物を投与する工程を含み、および、前記薬剤は、（ｉ）ブシラミン、またはその薬学的に許容可能な塩、または、（ｂ）次のような構造を有する化合物、またはその薬学的に許容可能な塩を含む、眼科用組成物。
【化１】
2020515533.tif 000001
【請求項２】
前記眼科的に許容可能な担体は、少なくとも１つの眼科的に許容可能な賦形剤を含む、請求項１に記載の組成物。
【請求項３】
前記方法は、前記患者に角質溶解剤を投与する工程をさらに含む、請求項１に記載の組成物。
【請求項４】
前記角質溶解剤は、過酸化ベンゾイル、コールタール、ジスラノール、サリチル酸、二硫化セレン、アルファヒドロキシ酸、尿素、ホウ酸、レチノイン酸、乳酸、チオグリコール酸ナトリウム、またはアラントイン、からなる群から選択される、請求項３に記載の組成物。
【請求項５】
前記薬剤を約０．０１％から約１０％の間で含む、請求項１に記載の組成物。
【請求項６】
前記薬剤を約２．５％含む、請求項５に記載の組成物。
【請求項７】
前記薬剤を約０．１μＭから約１μＭの間で含む、請求項１に記載の組成物。
【請求項８】
分散液、懸濁液、またはエマルジョンである、請求項１に記載の組成物。
【請求項９】
パラフィン、ワセリン、スクワレン、マイクロクリスタリンワックス、ラノリン、鉱油、植物油、トリグリセリド、リン脂質、またはそれらの組み合わせを含む、請求項１に記載の組成物。
【請求項１０】
前記患者は、マイボーム腺機能不全を患っている、請求項１に記載の組成物。
【請求項１１】
前記マイボーム腺機能不全は、マイボーム腺の閉塞を特徴とする、請求項１０に記載の組成物。
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
ｉ．筐体と、
ii．前記筐体に収容された貯蔵容器であって、チキソトロピック化粧組成物を含み、
前記化粧組成物を分配するための開口部を有する前記貯蔵容器と、
iii．前記貯蔵容器の前記開口部をカバーするメッシュ（８）であって、後者にせん
断応力が作用しない場合には前記化粧組成物に対して不浸透性であり、後者にせん断応
力が作用する場合には前記化粧組成物に対して浸透性であるように構成された前記メ
ッシュ（８）と
を備える化粧用品（１）。
【請求項２】
前記化粧組成が、水性相及び脂質層を有する水中油型エマルジョンを含み、前記水性
相はチキソトロピックゲル化剤を含む、請求項１に記載の化粧用品。
【請求項３】
前記チキソトロピックゲル化剤が、少なくとも１つの親水性部分及び疎水性部分を含む非イオン性ブロックコポリマーである、請求項２に記載の化粧用品。
【請求項４】
前記親水性部分及び前記疎水性部分が、少なくとも１つのウレタン結合によって接続
される、請求項３に記載の化粧用品。
【請求項５】
前記非イオン性ブロックコポリマーが、ポリウレタン及びその誘導体から選択される、請求項３又は４に記載の化粧用品。
【請求項６】
前記親水性部分がポリオキシエチレンによるものであり、及び／又は前記疎水性部分が炭化水素によるものである、請求項３から５のいずれか一項に記載の化粧用品。
【請求項７】
前記非イオン性ブロックコポリマーが、３つの連続するブロックの、親水性の特性を
有する１番目及び３番目のブロック、並びに疎水性の特性を有する２番目のブロックからなる、請求項３から６のいずれか一項に記載の化粧用品。
【請求項８】
前記組成物の総重量に対する前記チキソトロピックゲル化剤の重量含有率が、０．０１％〜２０％である、請求項２から７のいずれか一項に記載の化粧用品。
【請求項９】
前記化粧組成物が、２５００Ｐａ・ｓ以上のプラトーな粘度を有する、請求項１〜８のいずれか一項に記載の化粧用品。
【請求項１０】
前記化粧組成物が、６０Ｐａ以下の降伏応力を有する、請求項１〜９のいずれか一項に記載の化粧用品。
【請求項１１】
前記化粧組成物が、２００〜６００Ｐａの複素弾性率Ｇ＊を有する、請求項１〜１０のいずれか一項に記載の化粧用品。
【請求項１２】
前記化粧組成物が、７°〜２０°の位相角δを有する、請求項１〜１１のいずれか一項に記載の化粧用品。
【請求項１３】
前記メッシュが、ポリエチレンテレフタレートファイバ及びポリウレタンファイバを
備える、請求項１〜１２のいずれか一項に記載の化粧用品。
【請求項１４】
前記メッシュが編込みニット状のファイバからなる、請求項１〜１３のいずれか一項に記載の化粧用品。
【請求項１５】
シールが搭載されたカバーをさらに備える請求項１〜１４のいずれか一項に記載の化粧用品。
【手続補正書】
【提出日】令和3年2月22日(2021.2.22)
【手続補正１】
【補正対象書類名】明細書
【補正対象項目名】０００２
【補正方法】変更
【補正の内容】
【０００２】
より具体的には、本発明は、特に電気ケーブル等のような線状部材を用いて、隔壁部の経路を密封するグランドに関する。
このようなグランドの認識の例は、参照ＤＥ２０２００９００４７３９に見られる。
【手続補正２】
【補正対象書類名】明細書
【補正対象項目名】００１５
【補正方法】変更
【補正の内容】
【００１５】
この目的を達成するために、本発明は、特に電気ケーブルのような線状部材を用いて、隔壁部の開口部の経路を密封するためのグランドであり、
開口部を通るように隔壁部に密封して固定される、線状部材を通すためのグランド本体と、
線状部材の周囲に、グランド本体の関連するハウジング内に設置された変形可能なスリーブ形態の密封手段と、
グランド本体と線状部材との間で密封を提供するように、グランド本体のハウジング内で、線状部材に対して変形可能なスリーブ形態の密封手段を圧縮し、密封手段を変形するためのダンパー形成部材とを含むタイプのグランドであって、
変形可能なスリーブ形態の密封手段が、交互にヘッドトゥテール構成で取り付けられた略Ｖ形状の断面を有する環状密封体の積層体の形態であることを特徴とするグランドに関する。
【手続補正３】
【補正対象書類名】明細書
【補正対象項目名】００１６
【補正方法】変更
【補正の内容】
【００１６】
本発明に係るグランドの他の特徴によれば、以下の事項が単独で又は組み合わせて考慮される。
環状密封体が、エラストマーで作られている。
グランド本体が、開口部を備える隔壁部に螺合手段によって固定され、グランド本体には、当該本体と当該隔壁部との間に密封Ｏリングが設けられている。
ダンパー部材が、密封手段を圧縮するためにグランド本体のハウジングに係合した部分と、本体内に押し込むための本体上の螺合手段に関連した鍔状の別部分とを有する。
螺合手段が、本体の周囲に一定に分布したネジを含む。
ダンパー形成部材が、密封手段を圧縮するためにグランド本体のハウジング内に直接的に螺合されている。
【手続補正４】
【補正対象書類名】特許請求の範囲
【補正対象項目名】全文
【補正方法】変更
【補正の内容】
【特許請求の範囲】
【請求項１】
特に電気ケーブルのような線状部材（２）を用いて、隔壁部の開口部の経路を密封するためのグランドであり、
前記開口部を通るように前記隔壁部に密封して固定される、前記線状部材を通すためのグランド本体（３）と、
前記線状部材（２）の周囲に、前記グランド本体（３）の関連するハウジング（８）内に設置された変形可能なスリーブ形態の密封手段（９）と、
前記グランド本体と前記線状部材との間で密封を提供するように、前記グランド本体の前記ハウジング（８）内で、前記線状部材（２）に対して変形可能なスリーブ形態の密封手段（９）を圧縮し、前記密封手段（９）を変形するためのダンパー形成部材（１０）とを含むタイプのグランドであって、変形可能なスリーブ形態の密封手段（９）が、交互にヘッドトゥテール構成で取り付けられた略Ｖ形状の断面を有する環状密封体（１５）の積層体の形態であることを特徴とする、グランド。
【請求項２】
前記環状密封体（１５）が、エラストマーで作られたことを特徴とする、請求項１に記載のグランド。
【請求項３】
前記グランド本体（３）が、前記開口部を備えた前記隔壁部に螺合手段（４、５）によって固定され、前記グランド本体（３）が、前記グランド本体と前記隔壁部との間に密封Ｏリング（６、７）を備えることを特徴とする、請求項１又は２に記載のグランド。
【請求項４】
前記ダンパー部材（１０）が、前記密封手段（９）を圧縮するために前記グランド本体の前記ハウジング（８）に係合した部分（１１）と、前記本体内に押し込むための前記本体上の螺合手段（１３、１４）に関連した鍔状の別部分（１２）とを有することを特徴とする、請求項１〜３のいずれか１項に記載のグランド。
【請求項５】
前記螺合手段が、前記グランド本体の周囲に一定に分布したネジ（１３、１４）を含むことを特徴とする、請求項４に記載のグランド。
【請求項６】
前記ダンパー形成部材が、前記密封手段を圧縮するために前記グランド本体の前記ハウジング内に直接的に螺合されたことを特徴とする、請求項１〜３のいずれか１項に記載のグランド。
【手続補正書】
【提出日】令和3年2月8日(2021.2.8)
【手続補正１】
【補正対象書類名】特許請求の範囲
【補正対象項目名】請求項５
【補正方法】変更
【補正の内容】
【請求項５】
２０マイクロメートル超の直径を有する弾性繊維が得られる、請求項１から４のいずれか一項に記載の方法。
【手続補正書】
【提出日】令和3年3月26日(2021.3.26)
【手続補正１】
【補正対象書類名】特許請求の範囲
【補正対象項目名】全文
【補正方法】変更
【補正の内容】
【特許請求の範囲】
【請求項１】
各コードが、ＡＳＴＭ  Ｄ８８５Ｍに準拠して測定される、少なくとも０．６Ｎ／ｔｅｘのテナシティを有する１つ又は複数のヤーンを含み、かつ少なくとも８ｍｍのメッシュサイズを有する、ネットメッシュにおいて連結されたコードを含む網であって、前記コードがさらに、ポリマー樹脂を含み、前記ポリマー樹脂が、エチレン及び／又はプロピレンのホモポリマー又はコポリマーであり、前記ポリマー樹脂が、ＩＳＯ１１８３−２００４に準拠して測定される範囲８６０〜９７０ｋｇ／ｍ３の密度、ＡＳＴＭ  Ｅ７９４−０６に準拠して測定される範囲４０〜１４０℃の融解温度、及びＡＳＴＭ  Ｅ７９３−８５に準拠して測定される、少なくとも５Ｊ／ｇ最大で２００Ｊ／ｇの融解熱を有することを特徴とする、網。
【請求項２】
前記ポリマー樹脂が、
エチレン−プロピレンコポリマー、
１−ブテン、イソブチレンなどのコモノマーとのエチレンコポリマー、
アクリル酸、メタクリル酸、酢酸ビニル、無水マレイン酸、アクリル酸エチル、アクリル酸メチルなどのヘテロ原子含有モノマーとのエチレンコポリマー、
α−オレフィン及び環状オレフィンホモポリマー及びコポリマー、又はそのブレンド、
及び、
Ｃ原子２〜１２個を有する１つ又は複数のオレフィン、特にエチレン、プロピレン、イソブテン、１−ブテン、１−ヘキセン、４−メチル−１−ペンテン、１−オクテン、アクリル酸、メタクリル酸及び酢酸ビニルをコモノマーとして含有する、エチレン又はプロピレンのコポリマー、
から選ばれる、請求項１に記載の網。
【請求項３】
前記コードの前記ヤーンが前記ポリマー樹脂を含む、請求項１又は２に記載の網。
【請求項４】
前記コードが、少なくとも３本のヤーンを含むブレイド、又は、
それぞれのストランドが少なくとも１本のヤーンを含む、３本のストランドを含むレイド（ｌａｉｄ）コード、
である、請求項１から３のいずれか一項に記載の網。
【請求項５】
前記網が無結節網、好ましくは、編組無結節網構造又は撚り合わせ無結節網構造である、請求項１から４のいずれか一項に記載の網。
【請求項６】
前記コードが、無結節の内部編組によってネットメッシュにおいて連結される、請求項５に記載の網。
【請求項７】
前記ヤーンが、フィラメント及び／又はステープル繊維を含む、請求項１から６のいずれか一項に記載の網。
【請求項８】
前記ヤーンが、高性能ポリエチレン（ＨＰＰＥ）繊維、好ましくは超高分子量ポリエチレン（ＵＨＭＷＰＥ）繊維を含む、請求項１から７のいずれか一項に記載の網。
【請求項９】
前記コードが、前記ポリマー樹脂を０．１〜４０重量％、好ましくは０．５〜３０重量％、さらに好ましくは１〜２０重量％含み、重量％が、前記コードに存在するヤーンの重量当たりのポリマー樹脂の重量である、請求項１から８のいずれか一項に記載の網。
【請求項１０】
前記網の前記コードが、１，０００〜１００，０００ｄｔｅｘの範囲の総ヤーン線密度を有する、請求項１から９のいずれか一項に記載の網。
【請求項１１】
スポーツネット、競技場設備、鳥用網、落下防止システム、溺水保護網、積み荷網、スリップ保護網、又は車両のスノーチェーンとしての、請求項１から１０のいずれか一項に記載の網の使用。
【請求項１２】
漁網又は水産養殖網としての、請求項１から１０のいずれか一項に記載の網の使用。
【請求項１３】
請求項１から１０のいずれか一項に記載の網を含む、漁網又は水産養殖網。
【請求項１４】
フレームに連結された請求項１から１０のいずれか一項に記載の網を含み、かつ一定体積を少なくとも一部囲む、養殖漁業構造。
【請求項１５】
請求項１４に記載の養殖漁業構造を含む養魚場。
【請求項１６】
請求項１から１０のいずれか一項に記載の網、請求項１３に記載の漁網若しくは水産養殖網、又は請求項１４に記載の養殖漁業構造で、河川、湖、海又は海洋水の一定体積を分離する工程を含む、養殖漁業の方法。
【請求項１７】
ａ．請求項１から１０のいずれか一項に記載の網、又は請求項１４に記載の養殖漁業構造で河川、湖、海又は海洋水の一定体積を分離する工程と、
ｂ．前記分離された体積に魚を導入する工程と、
ｃ．前記魚に栄養を提供する工程と、
ｄ．前記魚を収穫する工程と、
を含む、請求項１６に記載の養殖漁業の方法。
【請求項１８】
ヤーン、好ましくは（ＨＰＰＥ）繊維を含むヤーンを提供する工程と、
コード及び少なくとも１０ｍｍのメッシュサイズの網へとヤーンを組み立てる前、間又は後に、ヤーンにポリマー樹脂の水性懸濁液を塗布する工程と、
ヤーンに塗布されたポリマー樹脂の水性懸濁液を少なくとも一部乾燥させて、コード全体にヤーンとポリマー樹脂とを含む網を得る工程と、
任意に、懸濁液を少なくとも一部乾燥させる間及び／又は後に、樹脂の融解温度〜１５３℃の範囲の温度をヤーンに適用して、ポリマー樹脂を少なくとも一部溶融する工程と、を含む、網を製造する方法であって、
前記ポリマー樹脂は、エチレン及び／又はプロピレンのホモポリマー又はコポリマーであり、
前記ポリマー樹脂は、ＩＳＯ１１８３−２００４に準拠して測定される範囲８６０〜９７０ｋｇ／ｍ３の密度、ＡＳＴＭ  Ｅ７９４−０６に準拠して測定される範囲４０〜１４０℃の融解温度、及びＡＳＴＭ  Ｅ７９３−８５に準拠して測定される少なくとも５Ｊ／ｇの融解熱を有し、
好ましくは、ポリマー水性懸濁液に含浸されたヤーンは、少なくとも一部乾燥され、
コード及び少なくとも１０ｍｍのメッシュサイズの網へとヤーンを組み立てる前に、ヤーンにポリマー樹脂の水性懸濁液を塗布する、方法。